(57)【要約】【課題】絶縁カバーが抜け落ちることを抑制できる蓄電装置を提供する。【解決手段】内側絶縁部材３５は、正極導電部材１９及び負極導電部材２０の端子接合部１９ｂ，２０ｂと蓋１４との間に配置される。絶縁カバー５０は、積層方向の一端側において正極タブ群及び負極タブ群とケース本体との間に配置されたケース側絶縁部と、正極導電部材１９及び負極導電部材２０の電極接合部１９ａ，２０ａと蓋１４との間に配置された蓋側絶縁部５２とを有する。内側絶縁部材３５は、蓋側絶縁部５２と対向する第４縁部３６ｄに係止段部３９を備える。絶縁カバー５０は、蓋側絶縁部５２の短縁部５２ａに弾性変形する突部５５を備える。係止段部３９は、積層方向において突部５５よりも一端側に位置するとともに突部５５と対向する段差部３９ｃを有する。【選択図】図６
2019153380.tif 000002
【特許請求の範囲】
【請求項１】
正極及び負極の電極が互いに絶縁された状態で積層され、かつ正極及び負極のタブ群を有する電極組立体と、
前記電極組立体を収容するケース本体、及び前記ケース本体の開口部を閉塞する蓋と、
を備えた蓄電装置であって、
前記電極組立体と前記蓋との間に配置された絶縁カバーを備える蓄電装置。
【請求項２】
前記蓋に固定された各極性の電極端子と、
前記蓋の内面に沿うように配置され、同じ極性の前記電極端子と接合された端子接合部及び同じ極性の前記タブ群と接合された電極接合部を有する各極性の板状の導電部材と、
各極性の前記端子接合部と前記蓋との間に配置された一対の絶縁部材と、
を備え、
前記絶縁カバーは、前記電極接合部と前記蓋との間に配置された蓋側絶縁部と、前記電極の積層方向の一端側において前記タブ群と前記ケース本体との間に配置されたケース側絶縁部とを有する請求項１に記載の蓄電装置。
【請求項３】
前記絶縁部材は、前記絶縁カバーの蓋側絶縁部と対向する端部に係止段部を備え、
前記絶縁カバーは、前記蓋側絶縁部における前記絶縁部材と対向する端部に弾性変形する突部を備え、
前記係止段部は、前記積層方向において前記突部よりも一端側に位置するとともに前記突部と対向する段差部と、前記段差部よりも前記積層方向の一端側に位置する高段部と、前記段差部よりも前記積層方向の他端側に位置する低段部とを有する請求項２に記載の蓄電装置。
【請求項４】
前記突部は、前記蓋の厚さ方向から見たとき折線形状である請求項３に記載の蓄電装置。
【請求項５】
前記突部は、前記蓋側絶縁部における前記絶縁部材と対向する端部に対して傾斜するように突出する第１突片と、前記第１突片の先端部から前記第１突片と交差するように突出する第２突片とを備え、
前記第１突片と前記第２突片との間に挟まれる角度は、鋭角である請求項４に記載の蓄電装置。
【請求項６】
前記突部の先端部と前記段差部とは面接触している請求項３〜請求項５の何れか一項に記載の蓄電装置。
【請求項７】
前記絶縁部材は、前記絶縁カバーの蓋側絶縁部と対向する端部に、前記段差部を複数有し、
前記絶縁カバーは、前記蓋側絶縁部における前記絶縁部材と対向する端部に、前記突部を複数有する請求項３〜請求項６の何れか一項に記載の蓄電装置。
【請求項８】
前記絶縁部材の主成分は、樹脂である請求項２〜請求項７の何れか一項に記載の蓄電装置。
【請求項９】
前記蓄電装置は、二次電池である請求項１〜請求項８の何れか一項に記載の蓄電装置。
【発明の詳細な説明】
【技術分野】
【０００１】
本発明は、絶縁カバーを備える蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。二次電池は、シート状の正極電極及び負極電極が絶縁された状態で積層された電極組立体と、電極組立体を収容するケースとを備える。電極組立体は、正極電極の一辺から突出した正極タブが積層された正極タブ群と、負極電極の一辺から突出した負極タブが積層された負極タブ群とを有する。ケースは、有底筒状のケース本体と、ケース本体の開口部を閉塞する蓋とを有する。二次電池は、電極組立体と電気を授受する各極性の電極端子と、同じ極性のタブ群と電極端子とを電気的に接続する導電部材とを備える。電極組立体、電極端子、導電部材、及び導電部材は、蓋端子組立体として一体化されている。
【０００３】
特許文献１に開示の二次電池は、絶縁カバーを備える。絶縁カバーは、蓋端子組立体に対して、積層方向の一端側から取り付けられる。絶縁カバーは、矩形板状の第１部位と、第１部位と対向する矩形板状の第２部位と、第１部位の長手方向に沿う一辺と第２部位の長手方向に沿う一辺とを接続する第３部位とを有する断面Ｕ字状のカバーである。絶縁カバーは、第１部位と第２部位とで導電部材及びタブ群を挟むようにして導電部材に取り付けられる。第１部位は、蓋と導電部材との間に配置され、蓋と導電部材とを絶縁する。第２部位は、正極タブ群及び負極タブ群と電極組立体との間に配置され、正極タブ群及び負極タブ群と電極組立体とを絶縁する。第３部位は、積層方向の一端側において正極タブ群及び負極タブ群とケース本体との間に配置され、正極タブ群及び負極タブ群とケースとを絶縁する。
【先行技術文献】
【特許文献】
【０００４】
【特許文献１】特開２０１５−３２５４９号公報
【発明の概要】
【発明が解決しようとする課題】
【０００５】
二次電池の製造過程において、絶縁カバーが取り付けられた蓋端子組立体を搬送する際、絶縁カバーが搬送時の振動によって積層方向の一端側に移動し、蓋端子組立体から抜け落ちてしまうことがある。
【０００６】
本発明は、上記課題を解決するためになされたものであり、その目的は、絶縁カバーが抜け落ちることを抑制できる蓄電装置を提供することにある。
【課題を解決するための手段】
【０００７】
上記問題点を解決するための蓄電装置は、正極及び負極の電極が互いに絶縁された状態で積層され、かつ正極及び負極のタブ群を有する電極組立体と、前記電極組立体を収容するケース本体、及び前記ケース本体の開口部を閉塞する蓋と、を備えた蓄電装置であって、前記電極組立体と前記蓋との間に配置された絶縁カバーを備えることを要旨とする。
【０００８】
また、上記蓄電装置について、前記蓋に固定された各極性の電極端子と、前記蓋の内面に沿うように配置され、同じ極性の前記電極端子と接合された端子接合部及び同じ極性の前記タブ群と接合された電極接合部を有する各極性の板状の導電部材と、各極性の前記端子接合部と前記蓋との間に配置された一対の絶縁部材と、を備え、前記絶縁カバーは、前記電極接合部と前記蓋との間に配置された蓋側絶縁部と、前記電極の積層方向の一端側において前記タブ群と前記ケース本体との間に配置されたケース側絶縁部とを有するのが好ましい。
【０００９】
また、上記蓄電装置について、前記絶縁部材は、前記絶縁カバーの蓋側絶縁部と対向する端部に係止段部を備え、前記絶縁カバーは、前記蓋側絶縁部における前記絶縁部材と対向する端部に弾性変形する突部を備え、前記係止段部は、前記積層方向において前記突部よりも一端側に位置するとともに前記突部と対向する段差部と、前記段差部よりも前記積層方向の一端側に位置する高段部と、前記段差部よりも前記積層方向の他端側に位置する低段部とを有するのが好ましい。
【００１０】
絶縁カバーは、積層方向の一端側から他端側に向けて取り付けられる。絶縁カバーの蓋側絶縁部が導電部材と蓋との間に挿入されるとき、突部は、係止段部の高段部と対向するとともに高段部によって押圧され弾性変形する（圧縮される）。さらに、蓋側絶縁部を積層方向の他端側に向けて挿入し続けると、突部は、係止段部の段差部を乗り越え、段差部よりも積層方向の他端側に位置する。すなわち、段差部は、突部よりも積層方向の一端側に位置する。突部は、係止段部の低段部と対向することで圧縮された状態から原形状に復帰し、段差部と積層方向に対向する。よって、絶縁カバーが積層方向の他端側から一端側に移動しても、突部と段差部とが接触することで、絶縁カバーの更なる移動が規制され、絶縁カバーが抜け落ちることを抑制できる。
【００１１】
また、上記蓄電装置について、前記突部は、前記蓋の厚さ方向から見たとき折線形状であるのが好ましい。
これによれば、例えば、弾性変形可能な直線形状部材を突部とする場合と比較して、突部の弾性力を容易に増大できる。よって、係止段部に対する突部の係止状態をより強くでき、絶縁カバーが抜け落ちることをより抑制できる。
【００１２】
また、上記蓄電装置について、前記突部は、前記蓋側絶縁部における前記絶縁部材と対向する端部に対して傾斜するように突出する第１突片と、前記第１突片の先端部から前記第１突片と交差するように突出する第２突片とを備え、前記第１突片と前記第２突片との間に挟まれる角度は、鋭角であるのが好ましい。
【００１３】
これによれば、例えば、突部をばねのような螺旋状にする場合と比較して、突部の構成を簡素化することができる。
また、上記蓄電装置について、前記突部の先端部と前記段差部とは面接触しているのが好ましい。
【００１４】
これによれば、突部の先端部と段差部とが点接触している場合と比較して、段差部に対する突部の係止状態がより強くなる。よって、絶縁カバーが抜け落ちることをより抑制できる。
【００１５】
また、上記蓄電装置について、前記絶縁部材は、前記絶縁カバーの蓋側絶縁部と対向する端部に、前記段差部を複数有し、前記絶縁カバーは、前記蓋側絶縁部における前記絶縁部材と対向する端部に、前記突部を複数有するのが好ましい。
【００１６】
これによれば、突部と段差部との係止箇所が１箇所である場合と比較して、係止状態がより強くなる。よって、絶縁カバーが抜け落ちることをより抑制できる。
また、上記蓄電装置について、前記絶縁部材の主成分は、樹脂である。
【００１７】
また、上記蓄電装置について、前記蓄電装置は、二次電池である。
【発明の効果】
【００１８】
本発明によれば、絶縁カバーが抜け落ちることを抑制できる。
【図面の簡単な説明】
【００１９】
【図１】実施形態の二次電池の分解斜視図。
【図２】二次電池の部分断面図。
【図３】二次電池の部分断面図。
【図４】内側絶縁部材の平面図。
【図５】絶縁カバーの平面図。
【図６】（ａ）,（ｂ）は絶縁カバーの取り付け方法を示す平面図。
【発明を実施するための形態】
【００２０】
以下、蓄電装置を二次電池に具体化した一実施形態を図１〜図６にしたがって説明する。
図１に示すように、蓄電装置としての二次電池１０は、ケース１１と、ケース１１に収容された電極組立体１２とを備える。ケース１１は、直方体状のケース本体１３と、ケース本体１３の開口部１３ａを閉塞する矩形平板状の蓋１４とを有する。ケース１１を構成するケース本体１３と蓋１４は、何れも金属製（例えば、ステンレスやアルミニウム）である。また、本実施形態の二次電池１０は、その外観が角型をなす角型電池である。また、本実施形態の二次電池１０は、リチウムイオン電池である。
【００２１】
ケース本体１３は、矩形板状の底壁１３ｂと、底壁１３ｂの一対の長側縁部から立設された長側壁１３ｃと、底壁１３ｂの一対の短側縁部から立設された短側壁１３ｄとを有する。蓋１４において、ケース１１の内側に臨む面を内面１４ａとし、ケース１１の外側に臨む面を外面１４ｂとする。
【００２２】
図２に示すように、電極組立体１２は、シート状の複数の正極の電極としての正極電極２１と、負極の電極としての負極電極２２と、セパレータ２３とを備える。電極組立体１２は、正極電極２１と負極電極２２との間にセパレータ２３を介在させ、かつ相互に絶縁させた状態で積層した層状構造を備える。正極電極２１及び負極電極２２が積層された方向を積層方向とする。蓋１４の短手方向は、積層方向と一致する。
【００２３】
正極電極２１は、矩形シート状の正極金属箔（例えばアルミニウム箔）２４と、正極金属箔２４の両面に存在する正極活物質層２５とを有する。正極電極２１は、一対の長辺に沿う縁部のうちの一方の縁部の一部から突出した矩形状の正極タブ２６を有する。正極タブ２６は、正極活物質層２５が存在せず、正極金属箔２４そのもので構成されている。
【００２４】
負極電極２２は、矩形シート状の負極金属箔（例えば銅箔）２７と、負極金属箔２７の両面に存在する負極活物質層２８とを有する。負極電極２２は、一対の長辺に沿う縁部のうちの一方の縁部の一部から突出した矩形状の負極タブ２９を有する。負極タブ２９は、負極活物質層２８が存在せず、負極金属箔２７そのもので構成されている。
【００２５】
各正極電極２１は、それぞれの正極タブ２６が積層方向に沿って列状に配置されるように積層される。各負極電極２２は、それぞれの負極タブ２９が、正極タブ２６と重ならない位置で積層方向に沿って列状に配置されるように積層される。電極組立体１２は、各正極タブ２６が積層されたタブ群としての正極タブ群１５と、各負極タブ２９が積層されたタブ群としての負極タブ群１６とを備える。電極組立体１２において、正極タブ群１５及び負極タブ群１６が存在する端面をタブ側端面１２ａとする。電極組立体１２は、タブ側端面１２ａ以外の端面が絶縁フィルムＦに覆われることで、ケース本体１３から絶縁される。
【００２６】
正極タブ群１５及び負極タブ群１６は、正極タブ２６及び負極タブ２９の基端部が寄せ集められ、かつ電極組立体１２のタブ側端面１２ａから離れる方向に延びる集箔部１５ａと、集箔部１５ａよりも先端側で屈曲された第１屈曲部１５ｂとを有する。また、正極タブ群１５及び負極タブ群１６は、第１屈曲部１５ｂと繋がり、積層方向に沿って延びる第１延在部１５ｃと、第１延在部１５ｃよりも先端側で屈曲された第２屈曲部１５ｄとを有する。また、正極タブ群１５及び負極タブ群１６は、第２屈曲部１５ｄから延びる第２延在部１５ｅを有する。第２屈曲部１５ｄは、積層方向の一端側に位置し、第１屈曲部１５ｂは、積層方向の他端側に位置する。本実施形態では、集箔部１５ａ及び第１屈曲部１５ｂは、ケース本体１３の長側壁１３ｃの内面から離間して配置されることで、ケース本体１３から絶縁されている。
【００２７】
図３に示すように、正極タブ群１５には、電極組立体１２と後述の正極端子構造１７とを電気的に接続するための矩形板状の導電部材としての正極導電部材１９が接合されている。また、負極タブ群１６には、電極組立体１２と後述の負極端子構造１８とを電気的に接続するための矩形板状の導電部材としての負極導電部材２０が接合されている。正極導電部材１９及び負極導電部材２０は、蓋１４の内面１４ａに沿うようにして、蓋１４の内面１４ａと電極組立体１２のタブ側端面１２ａとの間に配置されている。
【００２８】
正極導電部材１９及び負極導電部材２０の長手は、蓋１４の長手方向へ延びるクランク状であり、正極導電部材１９及び負極導電部材２０の短手は、積層方向へ延びる。正極導電部材１９及び負極導電部材２０の長手方向の端部において、蓋１４の長手方向の中央寄りの端部を一端部とし、蓋１４の短縁部側に位置する端部を他端部とする。正極導電部材１９は、長手方向の一端部に正極タブ群１５と接合された電極接合部１９ａを備え、長手方向の他端部に正極端子構造１７の一部と接合された端子接合部１９ｂを備える。同様に、負極導電部材２０は、長手方向の一端部に負極タブ群１６と接合された電極接合部２０ａを備え、長手方向の他端部に負極端子構造１８の一部と接合された端子接合部２０ｂを備える。正極導電部材１９の電極接合部１９ａと蓋１４の内面１４ａとの間、及び負極導電部材２０の電極接合部２０ａと蓋１４の内面１４ａとの間には、隙間が存在する。
【００２９】
次に、正極端子構造１７及び負極端子構造１８を説明する。なお、正極端子構造１７と負極端子構造１８は基本的に同じ構成であるため、共通の部材については、同じ部材番号を使用して説明する。
【００３０】
正極端子構造１７は、蓋１４の長手方向の一端側に配置され、負極端子構造１８は、蓋１４の長手方向の他端側に配置される。正極端子構造１７及び負極端子構造１８は、それぞれ蓋１４に固定された電極端子としての引出端子３１を備える。引出端子３１は、電極組立体１２と電気を授受する。正極の引出端子３１の一端は、正極導電部材１９の端子接合部１９ｂと電気的に接続され、負極の引出端子３１の一端は、負極導電部材２０の端子接合部２０ｂと電気的に接続されている。各引出端子３１の他端は、蓋１４を貫通してケース１１の外部に突出している。正極端子構造１７及び負極端子構造１８は、ケース１１の外部で引出端子３１の他端と電気的に接続された端子接合部材３２と、端子接合部材３２と電気的に接続された外部接続端子３３とを備える。正極端子構造１７及び負極端子構造１８は、端子接合部材３２及び外部接続端子３３を蓋１４から絶縁する外側絶縁部材３４を蓋１４の外面１４ｂに備える。外側絶縁部材３４の主成分は樹脂である。
【００３１】
図３及び図４に示すように、正極端子構造１７及び負極端子構造１８はそれぞれ、端子接合部１９ｂ，２０ｂを蓋１４から絶縁する絶縁部材としての内側絶縁部材３５をケース１１の内部に備える。各内側絶縁部材３５の主成分は樹脂である。以下、正極端子構造１７の内側絶縁部材３５について詳述する。なお、正極端子構造１７の内側絶縁部材３５と負極端子構造１８の内側絶縁部材３５は基本的に同じ構成であるため、負極端子構造１８の内側絶縁部材３５については説明を省略する。
【００３２】
内側絶縁部材３５は、矩形板状の基部３６を備える。基部３６は、正極導電部材１９の端子接合部１９ｂと蓋１４の内面１４ａとの間に配置される。基部３６は、蓋１４の長手方向に延びる一対の縁部のうち、積層方向の一端側に位置する一方の縁部に第１縁部３６ａを有し、積層方向の他端側に位置する他方の縁部に第２縁部３６ｂを有する。蓋１４の長手方向において、第１縁部３６ａの長さは、第２縁部３６ｂの長さよりも長い。また、基部３６は、積層方向に延びる一対の縁部のうち、蓋１４の短縁部寄りに位置する縁部に第３縁部３６ｃを有し、第３縁部３６ｃとは反対側の縁部であり、蓋１４の長手方向の中央寄り位置する縁部に第４縁部３６ｄを有する。第４縁部３６ｄは、後述の絶縁カバー５０と対向する端部である。
【００３３】
内側絶縁部材３５は、基部３６の第１〜第３縁部３６ａ〜３６ｃに、蓋１４から離れる方向に立設する第１〜第３壁部３７ａ〜３７ｃを備える。第１〜第３壁部３７ａ〜３７ｃは、基部３６の厚さ方向から見たとき、第４縁部３６ｄ側に開口するＵ字型である。積層方向における第１壁部３７ａの内面と第２壁部３７ｂの内面との距離は、端子接合部１９ｂの短手方向の寸法よりも僅かに大きい。
【００３４】
内側絶縁部材３５は、基部３６における蓋１４の内面１４ａと対向する面とは反対側の面と、第１〜第３壁部３７ａ〜３７ｃの内面とによって囲まれた収容部３８を備える。正極導電部材１９の端子接合部１９ｂは、収容部３８に収容されるとともに、第１壁部３７ａと第２壁部３７ｂとによって積層方向に挟持される。また、正極導電部材１９は、蓋１４の短縁部側に移動しないように第３壁部３７ｃによって位置決めされる。
【００３５】
内側絶縁部材３５は、基部３６の第４縁部３６ｄに係止段部３９を備える。本実施形態の係止段部３９は、高段部３９ａと、蓋１４の長手方向において高段部３９ａよりも第３縁部３６ｃ寄りに位置する低段部３９ｂと、高段部３９ａと低段部３９ｂとを接続する段差部３９ｃとによって構成されている。高段部３９ａは、段差部３９ｃよりも積層方向の一端側に位置し、低段部３９ｂは、段差部３９ｃよりも積層方向の他端側に位置する。高段部３９ａ及び低段部３９ｂは、積層方向に沿う面であり、段差部３９ｃは、蓋１４の長手方向に沿う面である。蓋１４の長手方向において、正極端子構造１７の内側絶縁部材３５の高段部３９ａと、負極端子構造１８の内側絶縁部材３５の高段部３９ａとの距離Ｌ１は、正極端子構造１７の内側絶縁部材３５の低段部３９ｂと、負極端子構造１８の内側絶縁部材３５の低段部３９ｂとの距離Ｌ２よりも短い。
【００３６】
図１に示すように、電極組立体１２、蓋１４、正極端子構造１７、負極端子構造１８、正極導電部材１９、及び負極導電部材２０は、蓋端子組立体Ｗとして一体化されている。
図２及び図３に示すように、二次電池１０は、電極組立体１２のタブ側端面１２ａと蓋１４の内面１４ａとの間に配置された絶縁カバー５０を備える。絶縁カバー５０の主成分は樹脂である。絶縁カバー５０は、蓋端子組立体Ｗに対し、積層方向の一端側から取り付けられる。
【００３７】
絶縁カバー５０は、矩形板状のケース側絶縁部５１を備える。ケース側絶縁部５１は、正極タブ群１５及び負極タブ群１６の第２屈曲部１５ｄを積層方向の一端側から覆い、正極タブ群１５及び負極タブ群１６とケース本体１３の内面とを絶縁する。よって、ケース側絶縁部５１は、積層方向の一端側において、正極タブ群１５及び負極タブ群１６とケース本体１３との間に介在する。
【００３８】
絶縁カバー５０は、蓋１４の長手方向に延びるケース側絶縁部５１の一対の長縁部のうち、蓋１４寄りの長縁部から積層方向の他端側に向けて延出した矩形板状の蓋側絶縁部５２を備える。蓋側絶縁部５２の長手は蓋１４の長手方向へ延び、蓋側絶縁部５２の短手は積層方向へ延びる。蓋側絶縁部５２は、正極導電部材１９の電極接合部１９ａと蓋１４の内面１４ａとの間、及び負極導電部材２０の電極接合部２０ａと蓋１４の内面１４ａとの間に介在し、正極導電部材１９及び負極導電部材２０と蓋１４とを絶縁する。蓋側絶縁部５２は、正極導電部材１９の電極接合部１９ａ及び負極導電部材２０の電極接合部２０ａに支持されている。蓋側絶縁部５２は、長手方向の両端に積層方向に沿う一対の短縁部５２ａを備える。一対の短縁部５２ａのうち、一方の短縁部５２ａは、正極端子構造１７の内側絶縁部材３５の基部３６の第４縁部３６ｄと対向する端部であり、他方の短縁部５２ａは、負極端子構造１８の内側絶縁部材３５の基部３６の第４縁部３６ｄと対向する端部である。
【００３９】
絶縁カバー５０は、蓋側絶縁部５２の各短縁部５２ａに弾性変形可能な突部５５を備える。突部５５は、蓋１４の厚さ方向から見たとき、折線形状であり、本実施形態では、Ｖ字形状である。突部５５は、蓋側絶縁部５２の短縁部５２ａに対して傾斜するように積層方向の他端側に向けて突出する四角柱状の第１突片５６と、第１突片５６の先端部５６ａから第１突片５６と交差するように積層方向の一端側に向けて突出する四角柱状の第２突片５７とを有する。第１突片５６と第２突片５７との間に挟まれる角度は、鋭角である。本実施形態では、突部５５の先端部は、第２突片５７の先端面５７ａである。突部５５は、蓋側絶縁部５２の長手方向に弾性変形可能である。
【００４０】
図５は、各突部５５が弾性変形せず、原形状であるときの絶縁カバー５０を示す。このときの蓋側絶縁部５２の長手方向における突部５５の第１突片５６の先端部５６ａの外縁同士の距離をＸとする。距離Ｘは、蓋１４の長手方向における正極端子構造１７の内側絶縁部材３５の高段部３９ａと負極端子構造１８の内側絶縁部材３５の高段部３９ａとの距離Ｌ１よりも僅かに短い。よって、絶縁カバー５０の蓋側絶縁部５２は、正極端子構造１７の内側絶縁部材３５と負極端子構造１８の内側絶縁部材３５との間に挿入可能である。
【００４１】
図６（ｂ）に示すように、突部５５は、絶縁カバー５０が蓋端子組立体Ｗに取り付けられた状態において、内側絶縁部材３５の係止段部３９に係止される部分である。なお、図６（ｂ）では、説明の便宜上、絶縁カバー５０のうち蓋側絶縁部５２及び突部５５のみを図示している。突部５５は、積層方向において係止段部３９の段差部３９ｃよりも他端側に位置するとともに、第２突片５７の先端面５７ａは、段差部３９ｃと対向する。換言すると、係止段部３９の段差部３９ｃは、積層方向において突部５５よりも一端側に位置するとともに、第２突片５７の先端面５７ａと対向する。
【００４２】
図１に示すように、絶縁カバー５０は、ケース側絶縁部５１の一対の長縁部のうち、電極組立体１２寄りの長縁部の一端部から積層方向の他端側に向けて延出した板状の正極側絶縁部５３を備える。図５に示すように、正極側絶縁部５３は、蓋側絶縁部５２の厚さ方向から見て、蓋側絶縁部５２の一部と重なる矩形状のタブ側絶縁部５３ａと、蓋側絶縁部５２の一方の短縁部５２ａからはみ出す矩形状の端子側絶縁部５３ｂとを有する。積層方向に沿うタブ側絶縁部５３ａの寸法は、積層方向に沿う端子側絶縁部５３ｂの寸法よりも短い。
【００４３】
正極タブ群１５は、正極導電部材１９とケース側絶縁部５１と正極側絶縁部５３のタブ側絶縁部５３ａとによって囲まれた空間に位置する。正極側絶縁部５３のタブ側絶縁部５３ａは、正極タブ群１５の第２延在部１５ｅと、電極組立体１２のタブ側端面１２ａとの間に介在し、正極タブ群１５の第２延在部１５ｅを電極組立体１２側から覆う。タブ側絶縁部５３ａは、正極タブ群１５と電極組立体１２とを絶縁する。端子側絶縁部５３ｂは、正極導電部材１９の端子接合部１９ｂと電極組立体１２のタブ側端面１２ａとの間に介在し、正極導電部材１９の端子接合部１９ｂを電極組立体１２側から覆う。端子側絶縁部５３ｂは、正極導電部材１９と電極組立体１２とを絶縁する。
【００４４】
図１に示すように、絶縁カバー５０は、ケース側絶縁部５１の一対の長縁部のうち、電極組立体１２寄りの長縁部の他端部から積層方向の一端側に向けて延出した板状の負極側絶縁部５４を備える。図５に示すように、負極側絶縁部５４は、蓋側絶縁部５２の厚さ方向から見て、蓋側絶縁部５２の一部と重なる矩形状のタブ側絶縁部５４ａと、蓋側絶縁部５２の他方の短縁部５２ａからはみ出す矩形状の端子側絶縁部５４ｂとを有する。積層方向に沿うタブ側絶縁部５４ａの寸法は、積層方向に沿う端子側絶縁部５４ｂの寸法よりも短い。
【００４５】
図２に示すように、負極タブ群１６は、負極導電部材２０とケース側絶縁部５１と負極側絶縁部５４のタブ側絶縁部５４ａとによって囲まれた空間に位置する。負極側絶縁部５４において、タブ側絶縁部５４ａは、負極タブ群１６の第２延在部１５ｅと、電極組立体１２のタブ側端面１２ａとの間に介在し、負極タブ群１６の第２延在部１５ｅを電極組立体１２側から覆う。タブ側絶縁部５４ａは、負極タブ群１６と電極組立体１２とを絶縁する。端子側絶縁部５４ｂは、負極導電部材２０の端子接合部２０ｂと電極組立体１２のタブ側端面１２ａとの間に介在し、負極導電部材２０の端子接合部２０ｂを電極組立体１２側から覆う。端子側絶縁部５４ｂは、負極導電部材２０と電極組立体１２とを絶縁する。
【００４６】
次に、二次電池の製造方法について説明する。
まず、蓋１４に、引出端子３１、端子接合部材３２、外部接続端子３３、外側絶縁部材３４、及び内側絶縁部材３５を組付け、正極端子構造１７及び負極端子構造１８を製造する。次に、内側絶縁部材３５に挟持された正極導電部材１９の電極接合部１９ａに対し、電極組立体１２の正極タブ群１５を溶接によって接合し、内側絶縁部材３５に挟持された負極導電部材２０の電極接合部２０ａに対し、電極組立体１２の負極タブ群１６を溶接によって接合する。これにより、蓋端子組立体Ｗが製造される。次に、蓋端子組立体Ｗに絶縁カバー５０を取り付ける。そして、絶縁カバー５０が取り付けられた蓋端子組立体Ｗの電極組立体１２をケース本体１３の開口部１３ａからケース本体１３内に挿入し、ケース本体１３と蓋１４と接合することで、二次電池１０が製造される。
【００４７】
次に、蓋端子組立体Ｗに対する絶縁カバー５０の取り付け方法について、本実施形態の作用とともに説明する。
まず、蓋端子組立体Ｗの内側絶縁部材３５よりも積層方向の一端側に絶縁カバー５０を配置する。次に、図６（ａ）に示すように、正極端子構造１７の内側絶縁部材３５と負極端子構造１８の内側絶縁部材３５との間から積層方向の他端側に向けて絶縁カバー５０を挿入する。すなわち、蓋側絶縁部５２は、正極導電部材１９及び負極導電部材２０の電極接合部１９ａ，２０ａと蓋１４との間に挿入される。また、正極側絶縁部５３の端子側絶縁部５３ｂは、正極導電部材１９の端子接合部１９ｂと電極組立体１２のタブ側端面１２ａとの間に挿入され、負極側絶縁部５４の端子側絶縁部５４ｂは、負極導電部材２０の端子接合部２０ｂと電極組立体１２のタブ側端面１２ａとの間に挿入される。このとき、絶縁カバー５０の各突部５５は、各内側絶縁部材３５の高段部３９ａと対向するとともに、高段部３９ａによって蓋側絶縁部５２の短縁部５２ａに向けて押圧され、弾性変形する（圧縮される）。
【００４８】
さらに、絶縁カバー５０を積層方向の他端側に向けて挿入し続けると、図６（ｂ）に示すように、絶縁カバー５０の各突部５５は、各内側絶縁部材３５の段差部３９ｃ乗り越え、各突部５５よりも積層方向の他端側に位置する。各突部５５は、各内側絶縁部材３５の低段部３９ｂと対向することで圧縮された状態から原形状に復帰し、突部５５の第２突片５７の先端面５７ａと係止段部３９の段差部３９ｃとは積層方向に対向する。すなわち、絶縁カバー５０の突部５５は、内側絶縁部材３５の係止段部３９に係止される。
【００４９】
突部５５が係止段部３９に係止された状態では、絶縁カバー５０が積層方向の一端側に移動しても、各突部５５の第２突片５７の先端面５７ａが各内側絶縁部材３５の段差部３９ｃと面接触することで、絶縁カバー５０の更なる移動が規制される。よって、蓋端子組立体Ｗから絶縁カバー５０が抜け落ちることが抑制される。また、正極側絶縁部５３のタブ側絶縁部５３ａは、正極タブ群１５と電極組立体１２のタブ側端面１２ａとの間に配置され、負極側絶縁部５４のタブ側絶縁部５４ａは、負極タブ群１６と電極組立体１２のタブ側端面１２ａとの間に配置される。
【００５０】
次に、本実施形態の効果を記載する。
（１）絶縁カバー５０は、蓋側絶縁部５２の短縁部５２ａに弾性変形する突部５５を備える。内側絶縁部材３５は、基部３６の第４縁部３６ｄに係止段部３９を備える。係止段部３９は、積層方向において突部５５よりも一端側に位置するとともに突部５５と対向する段差部３９ｃを有する。このため、絶縁カバー５０が積層方向の他端側から一端側に移動しても、突部５５と係止段部３９の段差部３９ｃとが接触することで、絶縁カバー５０の更なる移動が規制され、蓋端子組立体Ｗから絶縁カバー５０が抜け落ちることを抑制できる。
【００５１】
（２）突部５５は、蓋１４の厚さ方向から見たとき折線形状である。このため、例えば、弾性変形可能な直線形状部材を突部５５とする場合と比較して、突部５５の弾性力を容易に増大できる。よって、係止段部３９に対する突部５５の係止状態をより強くでき、絶縁カバー５０が抜け落ちることをより抑制できる。
【００５２】
（３）突部５５は、第１突片５６と、第１突片５６の先端部５６ａから第１突片５６と交差するように突出する第２突片５７とによって構成されている。よって、突部５５を、例えば、ばねのような螺旋状にする場合と比較して、突部５５の構成を簡素化することができる。
【００５３】
（４）突部５５の先端部である第２突片５７の先端面５７ａは、係止段部３９の段差部３９ｃと面接触しているため、点接触している場合と比較して、係止段部３９に対する突部５５の係止状態をより強くできる。よって、絶縁カバー５０が抜け落ちることをより抑制できる。
【００５４】
（５）従来から、内側絶縁部材３５に対する絶縁カバー５０の係止方法の１つとして、正極側絶縁部５３及び負極側絶縁部５４に爪部を設け、爪部を内側絶縁部材３５に係止する方法が知られている。この場合、正極タブ群１５及び負極タブ群１６において、第２屈曲部１５ｄが屈曲前の形状に戻ろうとすることにより、第２延在部１５ｅが第２屈曲部１５ｄを軸に電極組立体１２側に回動すると、正極側絶縁部５３及び負極側絶縁部５４は、第２延在部１５ｅによって電極組立体１２側に押し下げられ、内側絶縁部材３５に対して爪部を係止できない虞がある。これに対し、本実施形態では、蓋側絶縁部５２に突部５５を設けることで、正極タブ群１５及び負極タブ群１６の影響を受けることなく、内側絶縁部材３５に対して絶縁カバー５０を係止できる。
【００５５】
なお、上記実施形態は、以下のように変更してもよい。
○  正極電極２１において、正極活物質層２５は正極金属箔２４の片面に存在してもよい。同様に、負極電極２２において、負極活物質層２８は負極金属箔２７の片面に存在してもよい。
【００５６】
○  正極タブ群１５は、第２屈曲部１５ｄ及び第２延在部１５ｅを備えなくてもよい。同様に、負極タブ群１６は、第２屈曲部１５ｄ及び第２延在部１５ｅを備えなくてもよい。
【００５７】
○  内側絶縁部材３５は、正極導電部材１９又は負極導電部材２０を保持可能な構成であれば、第１〜第３壁部３７ａ〜３７ｃを備えなくてもよい。
○  内側絶縁部材３５の係止段部３９は、例えば、第４縁部３６ｄの中央部を凹設することで形成されてもよい。
【００５８】
○  絶縁カバー５０の構成は、ケース側絶縁部５１及び蓋側絶縁部５２を有する構成であれば適宜変更してよい。
一例として、絶縁カバー５０は、正極側絶縁部５３及び負極側絶縁部５４を備えなくてもよい。この場合、例えば、正極導電部材１９及び負極導電部材２０と電極組立体１２のタブ側端面１２ａとの間隔を十分に空けることにより、正極導電部材１９及び負極導電部材２０と電極組立体１２とを絶縁する。
【００５９】
○  内側絶縁部材３５は、係止段部３９を２箇所以上備えていてもよく、絶縁カバー５０の蓋側絶縁部５２の１つの短縁部５２ａは、係止段部３９と同数以上の突部５５を備えていてもよい。この場合、内側絶縁部材３５に対する絶縁カバー５０の係止状態をより強くできる。
【００６０】
○  絶縁カバー５０の突部５５の形状は適宜変更してよい。突部５５の形状は、例えば、弾性変形する円柱状部材であってもよい。また、突部５５の形状は、例えば、蓋側絶縁部５２の短縁部５２ａに対して傾斜するように積層方向の一端側に向けて突出する棒状であってもよい。
【００６１】
○  絶縁カバー５０の突部５５の折線形状は適宜変更してよい。突部５５の折線形状は、例えば、蓋１４の厚さ方向から見たとき、Ｗ字状であってもよい。
○  蓄電装置は、例えばキャパシタなど、二次電池以外の蓄電装置にも適用可能である。
【００６２】
○  二次電池１０は、リチウムイオン二次電池以外の他の二次電池であってもよい。要は、正極用の活物質と負極用の活物質との間をイオンが移動するとともに電荷の教授を行うものであればよい。
【符号の説明】
【００６３】
１０…蓄電装置としての二次電池、１１…ケース、１２…電極組立体、１３…ケース本体、１３ａ…開口部、１４…蓋、１４ａ…内面、１５…タブ群としての正極タブ群、１６…タブ群としての負極タブ群、１９…導電部材としての正極導電部材、１９ａ…電極接合部、１９ｂ…端子接合部、２０…導電部材としての負極導電部材、２０ａ…電極接合部、２０ｂ…端子接合部、２１…電極としての正極電極、２２…電極としての負極電極、３１…電極端子としての引出端子、３５…絶縁部材としての内側絶縁部材、３６ｄ…端部としての第４縁部、３９…係止段部、３９ａ…高段部、３９ｂ…低段部、３９ｃ…段差部、５０…絶縁カバー、５２…蓋側絶縁部、５２ａ…端部としての短縁部、５５…突部、５６…第１突片、５６ａ…第１突片の先端部、５７…第２突片、５７ａ…突部の先端部としての先端面。
【図１】
2019153380.tif 000003
【図２】
2019153380.tif 000004
【図３】
2019153380.tif 000005
【図４】
2019153380.tif 000006
【図５】
2019153380.tif 000007
【図６】
2019153380.tif 000008